(57)【要約】【課題】  浴室の壁面からのスピーカー装置の突出量を抑制しつつも低音域の音質向上を図ると共に、スピーカー装置のスピーカーユニット背面空間での結露水発生を抑制してスピーカー装置の耐久性能を向上できる浴室へのスピーカー装置の配設構造を提供する。【解決手段】  スピーカー装置１に設けた壁面取付面２を浴室３の壁面４ａに添わせるようにしてスピーカー装置１を浴室３の壁４に配設してなる浴室３へのスピーカー装置１の配設構造である。音源となる振動板を備えたスピーカーユニット５の背方に設けたスピーカーユニット背面空間６を内部に有する中空箱部７を壁面取付面２よりも背方へ突出するように形成する。中空箱部７を浴室３の壁４に穿設した壁貫通孔８に収容する。スピーカー装置１にスピーカーユニット背面空間６と浴室３の壁裏空間９とを連通させる通気用連通孔１０を設ける。【選択図】        図１
2006237898.tif 000002
【特許請求の範囲】
【請求項１】
スピーカー装置に設けた壁面取付面を浴室の壁面に添わせるようにしてスピーカー装置を浴室の壁に配設してなる浴室へのスピーカー装置の配設構造において、音源となる振動板を備えたスピーカーユニットの背方に設けたスピーカーユニット背面空間を内部に有する中空箱部を壁面取付面よりも背方へ突出するように形成すると共にこの中空箱部を浴室の壁に穿設した壁貫通孔に収容し、スピーカー装置にスピーカーユニット背面空間と浴室の壁裏空間とを連通させる通気用連通孔を設けたことを特徴とする浴室へのスピーカー装置の配設構造。
【請求項２】
通気用連通孔を、スピーカユニットの振動板から背方へ放射される音の位相を反転させるためのバスレス型スピーカー装置のポートとして機能させたことを特徴とする請求項１記載の浴室へのスピーカー装置の配設構造。
【請求項３】
スピーカユニットを制御する制御基板を収納するための収納空間をスピーカー装置の前部且つスピーカーユニット背面空間に隣接して設けると共に、壁裏空間に配設した電源線等の配線を制御基板に接続するために収納空間と壁裏空間とを連通させる配線導入孔を設け、スピーカーユニット背面空間と収納空間とを通気用連通孔で連通させて配線導入孔を介してスピーカーユニット背面空間と浴室の壁裏空間とを連通させる通気路を形成し、スピーカユニットの振動板から背方へ放射された音を通気用連通孔で位相を反転させた後に収納空間からスピーカー装置の前面を介して浴室内へ放射させたことを特徴とする請求項２記載の浴室へのスピーカー装置の配設構造。
【発明の詳細な説明】
【技術分野】
【０００１】
本発明は、浴室へのスピーカー装置の配設構造に関するものである。
【背景技術】
【０００２】
従来から、浴室３の壁４にスピーカー装置１を取付けるには、図６のようにスピーカー装置１の背面を壁４に添設させて行っていた（たとえば特許文献１参照）。なお、スピーカー装置１は音源となる振動板を備えたスピーカーユニット５の背方にスピーカーユニット背面空間６が設けられているが、このスピーカーユニット背面空間６の容積が小さいと低音域が出力されにくく（図７の点線グラフ参照）、またスピーカーユニット背面空間６の容積を大きく形成すると低音域の出力増は期待できるものの（図７の実線グラフ参照）、浴室３の壁４にスピーカー装置１を取付けた際には壁面４ａからのスピーカー装置１の突出量が大きくなってしまうといった問題があった。また、浴室３の壁４に取付けたスピーカー装置１のスピーカーユニット背面空間６は浴室３の湿気が入り込み易いと共に温度の高い浴室雰囲気温度になり易く、つまり高温多湿の雰囲気になり易いものであって、したがって、スピーカー装置１に冷水を浴びせたときには、スピーカー装置１が急激に冷やされてスピーカーユニット背面空間６で結露水が発生し、この結露水によってスピーカー装置１が内部から劣化してしまうといった問題があった。
【特許文献１】実開平５−５７２２１号公報
【発明の開示】
【発明が解決しようとする課題】
【０００３】
本発明は上記の従来の問題点に鑑みて為したものであって、浴室の壁面からのスピーカー装置の突出量を抑制しつつも低音域の音質向上を図ると共に、スピーカー装置のスピーカーユニット背面空間での結露水発生を抑制してスピーカー装置の耐久性能を向上できる浴室へのスピーカー装置の配設構造を提供することを課題とするものである。
【課題を解決するための手段】
【０００４】
上記課題を解決するために本発明の請求項１に係る浴室へのスピーカー装置の配設構造は、スピーカー装置１に設けた壁面取付面２を浴室３の壁面４ａに添わせるようにしてスピーカー装置１を浴室３の壁４に配設してなる浴室３へのスピーカー装置１の配設構造において、音源となる振動板を備えたスピーカーユニット５の背方に設けたスピーカーユニット背面空間６を内部に有する中空箱部７を壁面取付面２よりも背方へ突出するように形成すると共にこの中空箱部７を浴室３の壁４に穿設した壁貫通孔８に収容し、スピーカー装置１にスピーカーユニット背面空間６と浴室３の壁裏空間９とを連通させる通気用連通孔１０を設けたことを特徴とする。これによると、スピーカーユニット背面空間６を内部に有する中空箱部７を壁面取付面２よりも背方へ突出するように形成すると共にこの中空箱部７を浴室３の壁４に穿設した壁貫通孔８に収容したことで、浴室３の壁面４ａからのスピーカー装置１の突出量を抑制しつつもスピーカーユニット背面空間６の容積を大きく形成してスピーカー装置１の低音域の音質向上を図ることができ、また、スピーカー装置１にスピーカーユニット背面空間６と浴室３の壁裏空間９とを連通させた通気用連通孔１０によって、浴室３からスピーカーユニット背面空間６に入り込んだ湿気を壁裏空間９に逃がして緩和することができると共にスピーカーユニット背面空間６内の雰囲気温度を浴室３内の雰囲気温度と比べて比較的低温である壁裏空間９の温度に近づけることができ、つまりスピーカーユニット背面空間６内の雰囲気を浴室３内の雰囲気と比べて低温且つ低湿の状態にでき、スピーカー装置１が冷水等にて急冷されてもスピーカーユニット背面空間６での結露水の発生を抑制でき、スピーカー装置１の結露水による劣化を抑制することができる。
【０００５】
また、請求項２に係る浴室へのスピーカー装置の配設構造は、請求項１において、通気用連通孔１０を、スピーカーユニット５の振動板から背方へ放射される音の位相を反転させるためのバスレス型スピーカー装置のポートとして機能させたことを特徴とする。これによると、ヘルムホルツの共鳴原理にて通気用連通孔１０をバスレス型スピーカー装置１における低音域を発生させるポートとして機能させ、スピーカー装置１の低音域の音質向上を図ることができる。
【０００６】
また、請求項３に係る浴室へのスピーカー装置の配設構造は、請求項２において、スピーカユニット５を制御する制御基板１２を収納するための収納空間１３をスピーカー装置１の前部且つスピーカーユニット背面空間６に隣接して設けると共に、壁裏空間９に配設した電源線等の配線１１を制御基板１２に接続するために収納空間１３と壁裏空間９とを連通させる配線導入孔１４を設け、スピーカーユニット背面空間６と収納空間１３とを通気用連通孔１０で連通させて配線導入孔１４を介してスピーカーユニット背面空間６と浴室３の壁裏空間９とを連通させる通気路２４を形成し、スピーカーユニット５の振動板から背方へ放射された音を通気用連通孔１０で位相を反転させた後に収納空間１３からスピーカー装置１の前面を介して浴室３内へ放射させたことを特徴とする。これによると、通気用連通孔１０で位相を反転させた音の大部分を収納空間１３からスピーカー装置１の前面を介して浴室３内へ放射させることができ、スピーカー装置１の低音域の音質向上を図ることができる。
【発明の効果】
【０００７】
本発明は、浴室の壁面からのスピーカー装置の突出量を抑制しつつも低音域の音質向上を図ることができると共に、スピーカーユニット背面空間での結露水の発生を抑制できてスピーカー装置の結露水による劣化を抑制することができるという利点を有する。
【発明を実施するための最良の形態】
【０００８】
図１乃至図４には本発明の実施の形態の例を示す。スピーカー装置１は、図３のように、正面視で左右に長い矩形箱状のハウジングを有し、このハウジングの左右方向の中央部に制御部１ａが設けられると共にこの制御部１ａの左右方向の両隣にそれぞれスピーカー部１ｂが設けられて構成されている。詳しくは、ハウジングは、浴室３の壁４に固定される本体部材１５と、この本体部材１５に前方から被着されるスイッチ板部材１６（図１）と、スイッチ板部材１６の前方から本体部材１５に被着されるカバー部材１７とを一体化して形成されている。
【０００９】
本体部材１５の背部には浴室３の壁面４ａに当接される垂直面状の壁面取付面２が形成されており、また、スピーカー部１ｂにおける本体部材１５の部位には壁面取付面２よりも背方に突出する有底筒状の中空箱部７が形成されており、また、制御部１ａにおける本体部材１５の部位には壁面取付面２を背端面とする中空の収納箱部１８が形成されている。なお、収納箱部１８の背端の壁面取付面２には背方に突出する筒状の配線導入孔１４が形成されている。カバー部材１７は、平板状の正面板部１７ａの外周縁から背方にフランジ板部１７ｂを突設してなる背方に開口せる矩形箱状に形成され、正面板部１７ａの背面に添わせるようにスイッチ板部材１６を挟んで本体部材１５に取付けたときは本体部材１５の背部以外の全面に被さるようにされており、また、スピーカー部１ｂにおけるカバー部材１７の部位にはスピーカ用開口１９が穿設されると共にこのスピーカ用開口１９を背方から覆うように音源となる振動板を有するスピーカーユニット５が配設されており、また、制御部１ａにおけるカバー部材１７の正面板部１７ａの部位にはスピーカーユニット５の操作を行う押釦式の操作釦２０が設けられている。また、スイッチ板部材１６は、カバー部材１７の正面板部１７ａのスピーカ用開口１９以外の背面の略全ての部位を覆うような板形状のもので、各操作釦２０の背方に対応して正面方向に付勢された板バネ部１６ａが形成されている。ハウジングを形成したときには、スピーカー部１ｂにおける本体部材１５とカバー部材１７との間では、中空箱部７の内部空間が構成せるスピーカーユニット背面空間６が形成され、制御部１ａにおける本体部材１５とカバー部材１７との間では、収納箱部１８の内部空間が構成せる収納空間１３が形成される。なお、スピーカー部１ｂと制御部１ａとの境界における本体部材１５の部位には、正面側に突出してハウジング形成時にその突出先端がカバー部材１７の背面に添設されるスイッチ板部材１６に当接される仕切壁２１が形成されており、ハウジング形成時にはスピーカーユニット背面空間６と収納空間１３とは上記仕切壁２１にて仕切られるようになっている。ここで、収納空間１３にはスピーカー装置１を制御する制御基板１２が配設される。詳しくは、制御基板１２は、本体部材１５の収納箱部１８の背面から正面方向に突出する複数の突起状の挟持用リブ２２の先端に背方から当接されて収納空間１３内に配設されるのであって、カバー部材１７の操作釦２０を押したときにのみスイッチ板部材１６の板バネ部１６ａが制御基板１２に設けたスイッチに押圧可能にされている。なお、挟持用リブ２２は各操作釦２０の背方部位に設けられ、使用者による操作釦２０の押込力に対する制御基板１２の耐久性を高めている。また、制御基板１２は、スピーカーユニット５と制御線（図示せず）を介して接続されている。
【００１０】
スピーカー装置１を浴室３の壁４に取付けるには、図４のように予め浴室３の壁４に穿孔した中空箱部用壁貫通孔８ａ及び配線導入孔用壁貫通孔８ｂにスピーカー装置１の中空箱部７及び配線導入孔１４をそれぞれ背方に向けて挿入し、浴室３の壁面４ａにスピーカー装置１の壁面取付面２を防水パッキン２３を介して当接させて行われる。なお、防水パッキン２３は壁面取付面２に設けた正面方向に凹没した凹段部２ａ内に嵌め込まれていてズレ防止が施されている。ここで、中空箱部用壁貫通孔８ａ及び配線導入孔用壁貫通孔８ｂはホールソーを用いて穿孔して円形孔状に形成される場合が多いのであり、本例の中空箱部７や配線導入孔１４も円形孔状の中空箱部用壁貫通孔８ａ及び配線導入孔用壁貫通孔８ｂに嵌合できるよう断面円形状に形成されている。ところで、スピーカー装置１の低音出力向上のためには背景技術で述べたようにスピーカーユニット５の背方に広いスピーカーユニット背面空間６を設けることが必要とされるのであって、スピーカーユニット背面空間６を広くとろうとすると従来例では浴室３の壁４からのスピーカー装置１の突出量が大きくなってしまうといった問題があったが、本例では、スピーカーユニット背面空間６を内部に有する中空箱部７を壁面取付面２よりも背方へ突出するように形成すると共に、この中空箱部７を中空箱部用壁貫通孔８ａを通して浴室３の壁４の背方の壁裏空間９に位置させたので、スピーカー装置１の低音出力向上のためにスピーカーユニット背面空間６を広く形成しても浴室３の壁４からのスピーカー装置１の突出量の抑制が図られた構造とされているのである。なお、壁裏空間９には電源線等の配線１１が配設されており、この配線１１は配線導入孔用壁貫通孔８ｂに嵌合された配線導入孔１４を通って収納空間１３内に導入され、制御基板１２に接続されている。
【００１１】
ところで、上記スピーカー装置１は、スピーカーユニット背面空間６と浴室３の壁裏空間９とを連通させる通気用連通孔１０を設けることで、スピーカーユニット背面空間６内で生じる結露水による劣化を回避せる構造が採用されている。具体的に、通気用連通孔１０は中空箱部７の壁の任意位置に穿設されるものであり、本例では、壁裏空間９に位置した中空箱部７の部位である中空箱部７の背面部である円形底部の中央に形成されており、通気用連通孔１０にてスピーカーユニット背面空間６と浴室３の壁裏空間９とを直接連通させる構造とされている。この通気用連通孔１０によると、浴室３からスピーカーユニット背面空間６に入り込んだ湿気を壁裏空間９に逃がして緩和することができると共にスピーカーユニット背面空間６内の雰囲気温度を浴室３内の雰囲気温度と比べて比較的低温である壁裏空間９の温度に近づけることができ、つまりスピーカーユニット背面空間６内の雰囲気を浴室３内の雰囲気と比べて低温且つ低湿の状態にできることから、使用者がカビの発生などを抑制する等のために浴室使用後に浴室３の壁４やスピーカー装置１に冷水を浴びせるなどしてスピーカー装置１が冷水等にて急冷されてもスピーカーユニット背面空間６での結露水の発生を抑制でき、スピーカー装置１の結露水による劣化を抑制することができるのである（図１中の実線矢印Ｂがスピーカーユニット背面空間６内の空気の流れを示している）。なお、本例のようなスピーカーユニット背面空間６と浴室３の壁裏空間９とを直接連通させた通気用連通孔１０は換気効率が良いので、効率良く上記作用効果を得ることができるのである。
【００１２】
また、通気用連通孔１０は、ヘルムホルツの共鳴原理にて振動板から背方へ放射される音の位相を反転させるためのバスレス型スピーカー装置１のポートとして機能させている。詳しくは、通気用連通孔１０は、スピーカー部１ｂの低音出力向上のために、ヘルムホルツの共鳴原理に基いて、スピーカーユニット５の振動板から背方へ放射される低音域の音の位相を反転できる内部容積になるように、所定径及び長さの筒形状に形成している。つまり、本例のスピーカー部１ｂはバスレス型スピーカーとされている。詳しくは、スピーカーユニット５の振動板から背方へ放射された音は、スピーカーユニット５の振動板から直接浴室３に放射される音と反対の位相を有するものであるが、このスピーカーユニット５の振動板から背方へ放射された音のうち低音域の音は通気用連通孔１０を通って位相が反転されたものとなり、つまり振動板から直接浴室３に放射される低音域の音と同位相となるのであって、そしてこの低音域の音は主に浴室３の壁裏空間９から浴室３に至ることで、振動板から直接浴室３に放射される低音域の音に加算されて強めることができるのであり、スピーカー装置１の低音域の音質向上が図られているのである（図１中の白抜き矢印Ｃが通気用連通孔１０で位相が反転された音の進行を示している）。このように、スピーカーユニット背面空間６内の結露防止を図る通気用連通孔１０をバスレス型スピーカー装置１のポート形状とするといった簡単な構成で、スピーカー装置１の低音域の音質向上を図ることができたものである。
【００１３】
更に言うと、本例のスピーカー装置１では、壁裏空間９とスピーカー装置１の内部とが通気用連通孔１０及び配線導入孔１４にて連通されているが、これら通気用連通孔１０及び配線導入孔１４の各背方側の端部は浴室３の壁４における壁裏空間９側の壁面４ｂよりも背方へ突出しているので、たとえ壁裏空間９側の壁面４ｂで結露が生じた場合にも通気用連通孔１０及び配線導入孔１４からスピーカー装置１の内部に上記結露水が入り込みにくい構造とされている。なお、図示はしないが、通気用連通孔１０及び配線導入孔１４の各背方側の端部における上部部位に背方へ突出するような庇部を形成し、この庇部で壁裏空間９で生じた結露水の通気用連通孔１０及び配線導入孔１４を介してのスピーカー装置１の内部への流入防止を図ってもよい。
【００１４】
また、図５には本発明の実施の形態の他例を示す。本例では、その基本構造は先例を踏襲しており一部のみを変更したものであるから、先例と同構造の部位には同符合を付して説明を省き、相違する部位につき説明をしていく。
【００１５】
本例のスピーカー装置１では、先例と比べて、通気用連通孔１０の設ける位置を変更している。具体的に、本例のスピーカー装置１の通気用連通孔１０は、中空箱部７の壁の一部を構成する仕切壁２１に設けられている。すなわち、本例のスピーカー装置１では、スピーカーユニット背面空間６と収納空間１３とを通気用連通孔１０で連通させて配線導入孔１４を介してスピーカーユニット背面空間６と浴室３の壁裏空間９とを連通させる通気路２４が形成されており、この通気路２４にてスピーカーユニット背面空間６と壁裏空間９との換気が可能にされている（図５中の実線矢印Ｄがスピーカーユニット背面空間６内の空気の流れを示している）。つまり、通気用連通孔１０はスピーカーユニット背面空間６と壁裏空間９とを間接的に連通させている。なお、通気用連通孔１０は所定径及び長さの筒状に形成されており、つまり先例同様バスレフ型スピーカーのポート形状に施されている。
【００１６】
この通気用連通孔１０によると、スピーカーユニット５の振動板から背方へ放射された低音域の音を通気用連通孔１０で位相を反転させた後に収納空間１３に放射し、収納空間１３からスピーカー装置１の前面を介して浴室３内へ放射させることができ、つまり効率良く振動板から背方へ放射されて位相が反転させた低音域の音を浴室３内に放射でき、スピーカー装置１の低音域の音質向上を図ることができたものである。詳しくは、先例では、振動板から背方へ放射された低音域の音は位相が反転された後に通気用連通孔１０から浴室３の壁裏空間９に大部分が放射され、厚みのある浴室３の壁４を介して浴室３内に至るというものであったが、本例では、振動板から背方へ放射された低音域の音は位相が反転された後に通気用連通孔１０から収納空間１３に大部分が放射され、この収納空間１３から浴室３の壁４と比べて厚みの薄いスピーカー装置１の前面を介して位相が反転された後の振動板から背方へ放射された低音域の音を浴室３内に放射できるので、位相が反転された後の振動板から背方へ放射された低音域の音の浴室３内への放射効率は向上している（図５中の白抜き矢印Ｅが通気用連通孔１０で位相が反転された音の進行を示している）。このように、本例では、通気用連通孔１０によるスピーカーユニット背面空間６内の結露防止を確保してスピーカー装置１の劣化防止を図りながらも、位相が反転された後の振動板から背方へ放射された低音域の音の浴室３内への放射効率を向上させてスピーカー装置１の低音域の音質向上を大幅に図ることができたものである。
【図面の簡単な説明】
【００１７】
【図１】本発明の実施の形態の例を示す水平断面図（図２（ａ）のＡ−Ａ線断面図）である。
【図２】同上の浴室へのスピーカー装置の配設状態であり、（ａ）は正面図であり、（ｂ）は平面断面図である。
【図３】同上のスピーカー装置であり、（ａ）は正面側から見た斜視図であり、（ｂ）は背面側から見た斜視図である。
【図４】同上のスピーカー装置を取付ける前の浴室の壁の正面図である。
【図５】本発明の実施の形態の他例を示す水平断面図である。
【図６】従来技術の例の概略水平断面図である。
【図７】スピーカーユニット背面空間の容積の違いによるスピーカー装置の出力音質のグラフである。
【符号の説明】
【００１８】
１  スピーカー装置
２  壁面取付面
３  浴室
４  壁
５  スピーカーユニット
６  スピーカーユニット背面空間
７  中空箱部
８  壁貫通孔
９  壁裏空間
１０  通気用連通孔
【図１】
2006237898.tif 000003
【図２】
2006237898.tif 000004
【図３】
2006237898.tif 000005
【図４】
2006237898.tif 000006
【図５】
2006237898.tif 000007
【図６】
2006237898.tif 000008
【図７】
2006237898.tif 000009